【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
空気を吹き出す遠心送風機であって、
回転軸（１４）と、
前記回転軸に固定され、前記回転軸とともに回転するターボファン（１８）と、
前記ターボファンを内部に収容するケーシング（１２）とを備え、
前記ターボファンは、
前記回転軸のまわりに配置された複数枚の翼（５２）と、
前記複数枚の翼のそれぞれの前記回転軸の軸方向（ＤＲａ）の一方側に位置する一方側翼端部（５２１）に連結された環形状のシュラウドリング（５４）と、
前記複数枚の翼のそれぞれの前記軸方向の他方側に位置する他方側翼端部（５２２）に連結された他方側側板（６０）とを有し、
前記シュラウドリングは、前記ターボファンの径方向の内側に、空気が吸い込まれるファン吸気孔（５４ａ）を形成するシュラウド内周端部（５４１）を有し、
前記ケーシングは、前記シュラウドリングに対して前記軸方向の前記一方側に配置されたカバー部（２２１）を有し、
前記シュラウドリングと前記カバー部とは、両者の間に隙間（Ｇ１）を形成しており、
前記隙間は、前記径方向での前記カバー部と前記シュラウドリングとの間に形成された径方向隙間（Ｇ１１）と、前記軸方向での前記カバー部と前記シュラウドリングとの間に形成された軸方向隙間（Ｇ１２）とを含み、
前記径方向隙間は、前記シュラウド内周端部よりも前記径方向の外側に位置し、
前記軸方向隙間は、前記径方向隙間よりも前記径方向の内側に位置し、
前記径方向隙間における前記シュラウドリングと前記カバー部との最短距離である前記径方向隙間の最小の隙間寸法（Ｄ１１）は、前記軸方向隙間における前記シュラウドリングと前記カバー部との最短距離である前記軸方向隙間の最小の隙間寸法（Ｄ１２）よりも小さく、
前記シュラウド内周端部と前記カバー部との最短距離（Ｄ１）は、前記径方向隙間の前記最小の隙間寸法よりも大きく、
前記径方向隙間の前記軸方向での長さ（Ｌ１１）は、前記軸方向隙間の前記径方向での長さ（Ｌ１２）よりも長い遠心送風機。
【請求項２】
前記カバー部は、前記シュラウドリングに対向するカバー対向面（２２５）を有し、
前記カバー対向面は、前記カバー対向面のうち前記シュラウド内周端部よりも前記径方向の外側の位置で、前記回転軸の位置を中心位置として円周状に設けられたカバー凹部（２２６）を有し、
前記シュラウドリングは、前記カバー部に対向するシュラウド対向面（５４４）を有し、
前記シュラウド対向面は、前記カバー凹部に対向する領域の少なくとも一部に設けられたシュラウド凸部（５４５、５４７）を有し、
前記カバー凹部の内部に前記シュラウド凸部が位置し、
前記径方向隙間を第１径方向隙間とし、
前記第１径方向隙間は、前記シュラウド凸部よりも前記径方向の外側で、前記径方向での前記シュラウド凸部と前記カバー凹部との間に形成され、
前記軸方向隙間は、前記軸方向での前記シュラウド凸部と前記カバー凹部との間に形成され、
前記隙間は、第２径方向隙間（Ｇ１３）を含み、
前記第２径方向隙間は、前記シュラウド凸部よりも前記径方向の内側で、前記径方向での前記シュラウド凸部と前記カバー凹部との間に形成され、
前記第２径方向隙間における前記シュラウドリングと前記カバー部との最短距離である前記第２径方向隙間の最小の隙間寸法（Ｄ１３）は、前記軸方向隙間の最小の隙間寸法よりも小さく、
前記第２径方向隙間の前記軸方向での長さ（Ｌ１３）は、前記軸方向隙間の前記径方向での長さ（Ｌ１２）よりも長い請求項１に記載の遠心送風機。
【請求項３】
前記カバー凹部は、前記カバー凹部のうち前記径方向の外側に位置する外周側側面（２２６ｂ）と、前記カバー凹部のうち前記径方向の内側に位置する内周側側面（２２６ｃ）とを有し、
前記シュラウド凸部は、前記シュラウド凸部のうち前記径方向の外側に位置する外周側側面（５４５ｂ）と、前記シュラウド凸部のうち前記径方向の内側に位置する内周側側面（５４５ｃ）とを有し、
前記第１径方向隙間の前記長さは、前記カバー凹部の前記外周側側面のうち前記軸方向の前記他方側に位置する端部（２２６ｂ１）と、前記シュラウド凸部の前記外周側側面のうち前記軸方向の前記一方側に位置する端部（５４５ｂ１）との前記軸方向での距離であり、
前記第２径方向隙間の前記長さは、前記カバー凹部の前記内周側側面のうち前記軸方向の前記他方側に位置する端部（２２６ｃ１）と、前記シュラウド凸部の前記内周側側面のうち前記軸方向の前記一方側に位置する端部（５４５ｃ１）との前記軸方向での距離であり、
前記軸方向隙間の前記長さは、前記シュラウド凸部のうち前記カバー凹部の内部に位置する部分における前記シュラウド凸部の前記径方向での最大幅である請求項２に記載の遠心送風機。
【請求項４】
前記第１径方向隙間の前記最小の隙間寸法は、前記第２径方向隙間の前記最小の隙間寸法よりも大きい請求項２または３に記載の遠心送風機。
【請求項５】
前記軸方向隙間を第１軸方向隙間とし、
前記シュラウド対向面は、前記シュラウド凸部よりも前記径方向の内側における前記シュラウド凸部の隣りに、前記回転軸の位置を中心位置として円周状に設けられたシュラウド凹部（５４６）を有し、
前記カバー対向面は、前記シュラウド凹部に対向する領域の少なくとも一部に設けられたカバー凸部（２２７）を有し、
前記シュラウド凹部の内部に前記カバー凸部が位置し、
前記軸方向での前記カバー凸部と前記シュラウド凹部との間に、第２軸方向隙間（Ｇ１４）が形成され、
前記カバー凸部よりも前記径方向の内側で、前記径方向での前記カバー凸部と前記シュラウド凹部との間に、第３径方向隙間（Ｇ１５）が形成され、
前記第３径方向隙間における前記シュラウドリングと前記カバー部との最短距離である前記第３径方向隙間の最小の隙間寸法（Ｄ１５）は、前記第１軸方向隙間の最小の隙間寸法および前記第２軸方向隙間における前記シュラウドリングと前記カバー部との最短距離である前記第２軸方向隙間の最小の隙間寸法（Ｄ１４）よりも小さく、
前記第３径方向隙間の前記軸方向での長さ（Ｌ１５）は、前記第２軸方向隙間の前記径方向での長さ（Ｌ１４）よりも長い請求項２または３に記載の遠心送風機。
【請求項６】
前記シュラウド凹部は、前記シュラウド凹部のうち前記径方向の内側に位置する内周側側面（５４６ｃ）を有し、
前記カバー凸部は、前記カバー凹部のうち前記径方向の内側に位置する内周側側面（２２７ｃ）を有し、
前記第３径方向隙間の前記長さは、前記シュラウド凹部の前記内周側側面のうち前記軸方向の前記一方側に位置する端部（５４６ｃ１）と、前記カバー凸部の前記内周側側面のうち前記軸方向の前記他方側に位置する端部（２２７ｃ１）との前記軸方向での距離であり、
前記第２軸方向隙間の前記長さは、前記カバー凸部のうち前記シュラウド凹部の内部に位置する部分における前記カバー凸部の前記径方向での最大幅である請求項５に記載の遠心送風機。
【請求項７】
前記第２径方向隙間の前記最小の隙間寸法は、前記第３径方向隙間の前記最小の隙間寸法よりも大きく、
前記第１径方向隙間の前記最小の隙間寸法は、前記第２径方向隙間の前記最小の隙間寸法よりも大きい請求項５または６に記載の遠心送風機。
【請求項８】
前記カバー部は、前記軸方向隙間および前記径方向隙間を形成する第１段部（２３１）と、前記第１段部よりも前記径方向で外側に位置する第２段部（２３２）とを有し、
前記第２段部の前記軸方向での前記一方側の表面（２３２ａ）は、前記第１段部の前記軸方向での前記一方側の表面（２３１ａ）よりも、前記軸方向の他方側に位置する請求項１ないし７のいずれか１つに記載の遠心送風機。
【請求項９】
前記第１段部は、前記第１段部のうち前記径方向の外側に位置する側面（２３１ｃ）を有し、
前記側面は、複数の突出部（２３１ｄ）が設けられており、
前記複数の突出部のそれぞれは、前記側面のうち前記軸方向の前記一方側から前記他方側にわたって配置されている請求項８に記載の遠心送風機。
【請求項１０】
前記カバー部は、前記径方向の内側に、空気が吸い込まれるケーシング吸気孔を形成するカバー内周端部（２２１ｂ）を有し、
前記複数枚の翼のうち隣り合う翼は、空気が流れる翼間流路（５２ａ）を形成し、
前記遠心送風機は、前記ケーシング吸気孔から前記翼間流路に向かう空気流れを案内する案内面（５６２ａ）を有する案内部（５６２）を備え、
前記案内面のうち前記軸方向の前記一方側に位置する端部（５６２ａ１）は、前記シュラウド内周端部のうち前記軸方向の前記一方側に位置する端部（５４１ａ）よりも前記軸方向の前記一方側に位置するとともに、前記カバー部のうち前記カバー内周端部を含む内周側部分（２３１）のうち前記軸方向の前記一方側に位置する端部（２３１ａ）よりも前記軸方向の前記他方側に位置する請求項１ないし９のいずれか１つに記載の遠心送風機。
【手続補正２】
【補正対象書類名】明細書
【補正対象項目名】００１２
【補正方法】変更
【補正の内容】
【００１２】
さらに、請求項１に記載の発明では、径方向隙間の軸方向での長さ（Ｌ１１）は、軸方向隙間の径方向での長さ（Ｌ１２）よりも長い。これによれば、径方向隙間の軸方向での長さが軸方向隙間の径方向での長さよりも短い場合と比較して、ラビリンスシールのシール長を長くすることができる。これにより、逆流の流量をより低減できる。